(57)【特許請求の範囲】
【請求項１】
管をケーシングと取外し可能に接続する継手であって、ケーシングの各孔内に、シールを有する管端部区域を差込み可能であり、この管端部区域が、差込み位置ではねじ山を介してケーシングと結合可能な固定部材により保持されている形式の管継手において、
ケーシング（１）の入口区域の孔（１１）における孔壁に、ねじ山（１２）が形成され、管（２）の端部区域が、固定部材として、軸方向に固定配置された回転可能なばね係止スリーブ（３）を保持しており、該スリーブ（３）が、半径方向にばね作用を有しつつ拡開された１個又は複数の舌状部（３１）を有しており、管（２）を差込んだ後、舌状部（３１）が、ねじ山（１２）の逃げ面に支えられ、脱落が防止され、前記舌状部（３１）が、ねじ山（１２）の軸方向進み距離に相応する構成を有することにより、すべての舌状部（３１）がねじ山（１２）の逃げ面に支えられることを特徴とする取外し可能の管継手。
【請求項２】
ばね係止スリーブ（３）が、縦スリット（３２）により分割されていることを特徴とする請求項１に記載された管継手。
【請求項３】
ばね係止スリーブ（３）が、直径をより小さくした管頸部区域（２１）により、軸方向に固定保持されていることを特徴とする請求項１から２までのいずれかの１項に記載された管継手。
【請求項４】
舌状部（３１）が、ばね係止スリーブ（３）の円筒形外とうから、約３０〜９０°の、好ましくは６０°の開角（３３）でくさび形状に突出し、しかも該くさび形状の先端が差込み方向にあることを特徴とする請求項１から３までのいずれかの１項に記載された管継手。
【請求項５】
管（２）の端部区域には、先ず、シールリング（４）を受容する環状みぞ（２２）が形成されており、次いで僅かな間隔をおいて半径方向に突出するストッパ用つば（２３）が設けてあり、これに続いて、ばね係止スリーブ（３）を配置するための、より小さい直径の頸部区域（２１）が設けられていることを特徴とする請求項１から４までのいずれかの１項に記載された管継手。
【請求項６】
ねじ山（１２）が内部の鋸歯ねじ山として構成され、しかも中心軸線に対してほぼ直角に位置するねじ山の逃げ面が、舌状部（３１）の支持面として役立つことを特徴とする請求項１から５までのいずれかの１項に記載された管継手。
【請求項７】
ばね係止スリーブ（３）がステンレス鋼の帯板を成形したものであることを特徴とする請求項１から６までのいずれかの１項に記載された管継手。
【請求項８】
ストッパ用つば（２３）の外径が、ねじ山（１２）の孔直径より僅かに小さくされており、必要な深さだけ差込むことにより孔（１１）内の肩（１３）のところに、つば（２３）が接触することを特徴とする請求項１から７までのいずれかの１項に記載された管継手。
【請求項９】
ばね係止スリーブ（３）が、少なくとも１つの端部区域のところに、スリーブ（３）を操作するための１つ又は複数の半径方向穴（３４）を有することを特徴とする請求項１から８までのいずれかの１項に記載された管継手。
【請求項１０】
管（２）として、１０mmの外径を有する金属管、好ましくは銅管が用いられ、この管の端部区域の、直径を小さくされた管外とうには環状みぞ（２２）が設けられ、かつまた、ストッパ用つば（２３）に続いて頸部区域（２１）が設けられており、更に、ばね係止スリーブ（３）が、約０．５mm厚のステンレスばね鋼板製であり、ほぼ対象的に周面に３つの舌状部（３１）が分配形成されていることを特徴とする請求項１から９までのいずれかの１項に記載された管継手。
【請求項１１】
ねじ山（１２）として、１０．２mmの内径を有する鋸歯ねじ山が設けられ、孔（１１）の狭いほうの区域の直径が約９．６mmであることを特徴とする請求項１０に記載された管継手。
【発明の詳細な説明】
【０００１】
【産業上の利用分野】
本発明は、管などをケーシング、特に衛生設備に取外し可能に接続される継手、それも、ケーシングの各孔内にシールを有する管端部区域を差込み可能であり、この端部区域が、差込み位置では、ねじ山を介してケーシングと連結可能な固定部材により保持される形式のものに関する。
【０００２】
【公知の技術】
衛生設備の“単孔”冷温混合コックに取付けるこの種の管継手は、ＤＥ−ＯＳ２３  ０４  ６５８により公知である。この公知形式の場合、差込んだ状態の管端部は、端側に配置された口金部材により装置内に保持される。この口金部材は、また、ねじ又はユニオンナットを介してケーシング低部にねじ付け可能である。この継手は比較的高価であり、しかも、特に、“単孔”冷温混合コックを洗面台又は流し台など取付ける場合には、台の下で固定部材をねじ付けねばならない点が欠点である。
【０００３】
更に、また、ホース継手（ＤＥ３９  ３３  ５８９Ａ１）も公知であるが、この形式の場合は、差込み部が、斜めに外方へ拡げられた係止腕を有する固定リングを介して、差込み位置に固定される。係止腕は、その場合、差込み位置で環状みぞの後方を掴み、管の脱落が防止される。継手を分離するためには、特別の部材が備えられている。
【０００４】
【発明が解決しようとする課題】
本発明の根底をなす課題は、請求項１の上位概念部分に記載の継手を改良して、特に、管の差込みにより連結が可能になるように構成することにある。
【０００５】
【課題を解決するための手段】
この課題は、本発明によれば、次のようにすることによって解決された。すなわち、ケーシング入口区域の孔の壁部にねじ山を設け、他方、管の端部区域には、固定部材として、軸方向に固定的にばね係止スリーブを配置するようにし、このスリーブに、半径方向にばね作用を有するように拡開された単数又は複数の舌状部が形成され、これらの舌状部によって、管の差込み後に舌状部がねじ山の逃げ面のところに支えられ、管の脱落が防止されるようにしたのである。
本発明のその他の構成は、請求項２〜１１に記載の通りである。
【０００６】
本発明が提案する措置により、簡単な差込み作業によって管をケーシングと密封連結することができる。この継手を分離する場合は、たとえば特別な工具を用いて、ねじ山内のばね係止スリーブを回転させればよい。その場合、ばね係止スリーブを、弾発的に拡開してねじ山の逃げ面に接触している舌状部がねじ山から外れるまで回転させるようにする。
【０００７】
ばね係止スリーブの、半径方向に突出する舌状部には、ねじ山の軸方向進み距離に応じて傾斜させた端側を設けておくのが好ましい。ねじ山としては、鋸歯ねじ山を用いるのが好ましく、しかも、その場合、中心軸線に対しほぼ直角のねじ山の逃げ面が舌状部用の支持面を形成するようにする。
【０００８】
本発明の一好適実施例によれば、ばね係止スリーブは、ステンレス・クロム鋼板製であり、残されている縦スリットを介して弾発的に拡開されて管端部から定位置にはめ込むことができる。管壁には、スリーブをはめ込むための、直径を小さくされた頸部区域を設けておき、この区域をスリーブが弾力的に包囲し、軸方向に固定されるようにしておく。加えて、この頸部区域の前方には、直径の拡大されたストッパ用つばと、シーリングを配置するための環状みぞとを設けておくのが好ましい。ばね係止スリーブと工具を形状接続式に結合できるようにするため、このスリーブの壁部に半径方向の穴を設けておくのが好ましい。
【０００９】
【実施例】
以下では、本発明の一実施例を添付図面につき詳説する。
図１にケーシング１の一部を介して部分的に示した衛生設備は、“単孔”冷温混合コックとして構成されている。冷水、温水を供給する各管さは、ケーシング１のソッケト部分に差込んでおく。管２は、その場合、外径１０ｍｍの銅管として構成され、ケーシング壁に設備されている給水管網に適合かつ接続するのに役立つ。
【００１０】
ケーシング１内には各管２のために孔１１が設けられている。孔１１は、より狭い内方区域を有し、この内方区域の壁部にはシールリング４が密接していて、ケーシング１と管２との間をシールしている。孔１１の外端区域は、内方区域より僅かに広く構成され、壁部にはねじ山１２が形成されている。ねじ山１２の形成された外端区域から内方区域への移行部には、肩１３が設けられ、管２の差込み位置では、この肩１３のところにストッパ用つば２３が接触する。ねじ山は鋸歯ねじ山（Ｓ１１．２×２）として構成されている。軸線に対し直角方向のねじ山の逃げ面は、ばね係止スリーブ３に設けられた舌状部３１のための係止面を形成している。言うまでもなく、他の形式のねじ山であってもよい。管２は、特に図２から分かるように、端区域にシールリング４を受容するための環状みぞ２２を有している。環状みぞ２２から必要な間隔をおいて、ストッパ用のつば２３と、これに続く、直径をより小さくした頸部区域２１とが、ばね係止スリーブ３を軸方向に不動に受容するために、設けられている。
【００１１】
ばね係止スリーブ３は、特に図３〜図５から分かるように、扁平材料から形成され、円筒形外とう面を有している。この外とう面は、縦スリット３２により中断しているので、スリーブを拡開し、管端部からストッパ用つば２３を通り越して頸部区域２１にはめ込み、弾性的に係止させることができる。スリーブ３の外とう区域からは、ほぼ対称的に３つの舌状部３１がくさび形状に突出している。これら舌状部３１の突出した端縁３１０は、管の差込み位置で３つの端縁３１０すべてが、ねじ山の軸方向進み距離に応じてねじ山の逃げ面に密接するように寸法づけられている。ほぼくさび形状に配置された舌状部３１は、約６０℃の開角を有しており、舌状部３１のくさび先端はケーシング１の内部の方向を指している。
【００１２】
この継手は、次のように組立て、ないしは分解することができる：
図３に示したばね係止スリーブ３は、特殊工具、たとえばペンチを用い半径方向穴３４を介して拡開することができる。拡開することによりスリーブ３は、ストッパ用つば２３を越えて頸部区域２１へはめ込まれ、双方の端側の肩の間に軸方向に不動に保持される。次いで、シールリング４が環状みぞ２２内にはめ込まれる。
【００１３】
このように準備された管２は、孔１１（図１の左半部）内に差込まれる。孔１１の、ねじ山を有する前方区域は、後方区域よりも直径が大きくされているので、シールリング４が損傷されることなく、より直径の小さい、孔１１の後方区域へ達し、シールが可能となる。管のそう入時には、舌状部３１が、ねじ山１２により中心軸線方向へ弾発的に押圧され、最終的にストッパ用つば２３が肩１３に接触する。その後、孔１１内の流体圧力及び、又は引張力が管２に作用すると、舌状部３１が半径方向へ拡開し、その端縁３１０がねじ山の逃げ面に接触し、継手が固定される。
【００１４】
特別な場合、たとえば管２が損傷した場合には、継手を外す必要が生じるが、その場合には、ばね係止スリーブ３を回動させて、ねじ山１２から外すことによって、継手を分離することができる。スリーブ３をねじ山１２から外すには、半径方向穴３４に、たとえばフックレンチを引掛けて回動させればよい。
【図面の簡単な説明】
【図１】“単孔”冷温混合コックの一部と接続管の一部との縦断図面。図の左半部には、ケーシングの孔内へ管を差込む前の状態が示され、図の右半部には、ケーシング内の差込み位置に管が係止されている状態が示されている。
【図２】図１に示した管端部の側面図。
【図３】図１に示したばね係止スリーブの側面図。
【図４】図３のばね係止スリーブの平面図。
【図５】図３のばね係止スリーブの展開図。
【符号の説明】
１          ケーシング
２          管
３          ばね係止スリーブ
４          シールリング
１２        ねじ山
１３        肩
２２        環状みぞ
２３        ストッパ用つば
３１        舌状部
３３        開角
３４        半径方向穴
３１０      端縁
【図１】
0003619257.tif 000002
【図２】
0003619257.tif 000003
【図３】
0003619257.tif 000004
【図４】
0003619257.tif 000005
【図５】
0003619257.tif 000006